(57)【要約】【課題】燃料カットを行うことで点火プラグに燻りが生じてしまうことを抑制可能な、内燃機関の制御装置を提供する。【解決手段】ＥＣＵ８０は、前サイクルにおける燃焼状態が良好でないと判定された場合、燃料カットを禁止する。また、ＥＣＵ８０は、吸気ポート２２の燃料付着量が所定の判定付着量より少ないと判定された場合、燃焼状態が良好であるか否かに拘らず、燃料カットを許可すると共に点火カットを許可する。燃料カットを実行している時に吸気通路に付着していた燃料が剥離して気筒内に流入してもその量は少量であるため、点火カットを行っても気筒内に流入した燃料により点火プラグ６６に燻りが生じることがない。燃料カットを行うことで内燃機関１０としての燃費を低減すると共に、点火カットを行うことで点火プラグ６６による電力消費を抑制する。【選択図】図１
2008240642.tif 000002
【特許請求の範囲】
【請求項１】
吸気通路内に燃料を噴射可能な燃料噴射弁と、気筒内の混合気に点火可能な点火プラグを備える内燃機関に用いられ、燃料噴射弁の燃料噴射を停止する燃料カットを実行可能な内燃機関の制御装置であって、
前サイクルにおける燃焼状態が良好であるか否かを判定する燃焼状態判定手段を有し、
燃焼状態が良好でないと判定された場合、燃料カットを禁止することを特徴とする内燃機関の制御装置。
【請求項２】
請求項１に記載の内燃機関の制御装置において、
点火プラグの点火を停止する点火カットを実行可能なものであり、
吸気通路の壁面に付着している燃料量である燃料付着量を推定する燃料付着量推定手段と、
燃料付着量が予め設定された判定付着量より少ないか否かを判定する燃料付着量判定手段と、
を備え、
燃料付着量が判定付着量より小さいと判定された場合、燃焼状態が良好であるか否かに拘らず、燃料カット及び点火カットを許可することを特徴とする内燃機関の制御装置。
【請求項３】
請求項２に記載の内燃機関の制御装置において、
燃料付着量が判定付着量以上であると判定され、且つ前サイクルの燃料状態が良好であると判定された場合、燃料カットを許可することを特徴とする内燃機関の制御装置。
【請求項４】
請求項１に記載の内燃機関の制御装置において、
燃焼状態判定手段は、
１サイクルあたりに気筒内で消費される空気量である筒内消費空気量を推定する筒内消費空気量推定手段を備え、
推定された筒内消費空気量が予め設定された判定空気量より大きいことを以って、燃料状態が良好であると判定することを特徴とする内燃機関の制御装置。
【請求項５】
請求項４に記載の内燃機関の制御装置において、
筒内消費空気量推定手段は、
１サイクルあたりに、気筒内から排気通路に排出された空気量と燃料量の比率である排気空燃比を推定する排気空燃比推定手段と、
１サイクルあたりに、吸気通路から気筒内に流入する空気量と燃料量との比率である筒内空燃比を推定する筒内空燃比推定手段と、
を備え、
排気空燃比と筒内空燃比との差分から筒内消費空気量を推定することを特徴とする内燃機関の制御装置。
【請求項６】
請求項５に記載の内燃機関の制御装置において、
筒内空燃比推定手段は、１サイクルあたりに、吸気通路から気筒内に流入する燃料量である筒内流入燃料量を推定する筒内流入燃料量推定手段を備え、
筒内流入燃料量推定手段は、燃料噴射弁が吸気通路に噴射する燃料噴射量と、燃料付着量推定手段により推定された燃料付着量の剥離分に基づいて、筒内流入燃料量を推定することを特徴とする内燃機関の制御装置。
【発明の詳細な説明】
【技術分野】
【０００１】
本発明は、内燃機関の燃料噴射制御に関し、詳細には、自動車に原動機として搭載される内燃機関の燃料噴射制御に関する。
【背景技術】
【０００２】
従来から、自動車に原動機として搭載される内燃機関は、燃料消費の低減や車両の運転性を向上させるために、車両減速時に、燃料噴射装置による燃料供給を遮断する、いわゆる燃料カットを行うことが知られている。車両減速時に燃料カットを行うことで、燃料消費を節減できるだけでなく、燃料がカットされた内燃機関の抵抗により、車両の減速を良好なものにすることで、運転性の向上に寄与している。
【０００３】
また、内燃機関には、燃料噴射弁が吸気ポート等の吸気通路内に燃料を噴射するものが知られており、燃料噴射弁から噴射された燃料のうち一部は、吸気通路の内壁に付着する。吸気通路の内壁に付着する燃料量が多いと、噴射された燃料は、吸気通路の内壁において液膜を形成する。内壁に付着して液膜となった燃料の一部は、通路内壁の熱や通路内を流れる吸気の流れ等により剥離し、液滴に状態変化し、吸気弁の開弁期間に、吸気通路から気筒内に流入することとなる。
【０００４】
このように吸気通路内に燃料を噴射する内燃機関において、燃料カットを開始を行っている間、点火プラグは、一般的に、点火を停止せずに継続している。これにより、燃料カット開始後において、吸気通路の内壁に付着していた燃料がある程度、液膜の状態や液滴の状態で気筒内に流入しても、少量であれば、気筒内において点火プラグの点火により着火して燃焼させることができる。
【０００５】
このように気筒内で、燃料が十分に気化していない状態の燃料を燃焼させると、煤等の粒子状物質が生じ易く、生成された粒子状物質が点火プラグの火花放電部に付着し堆積して点火火花が生じにくくなる、いわゆる「点火プラグの燻り」が生じることがある。
【０００６】
このような、内燃機関における点火プラグの燻りを抑制するために、下記の特許文献１に記載の制御技術では、内燃機関の冷却水温度が所定の閾値である燃料カット禁止水温より低い場合には、燃料カットを禁止している。また、点火時期を遅角させて気筒内の温度を高温にすることで、点火プラグの燻りを抑制している。
【０００７】
【特許文献１】特開２００５−２８４３号公報
【発明の開示】
【発明が解決しようとする課題】
【０００８】
特許文献１の制御技術では、冷却水温度が燃料カット禁止水温より低い場合には、常に燃料カットを禁止しているため、吸気通路の壁面への燃料の付着状態によっては、燃料カットの開始前に噴射されて吸気通路の壁面に付着していた燃料が、燃料カットの開始後に、十分に気化しないまま、大量に気筒内に流入することがある。このような場合、燃料カット開始後に点火プラグの点火が継続されていても、点火プラグの火花放電部（電極）がぬれてしまい点火プラグに燻りを生じさせることがある。また、燃料カット開始後に吸気通路から気筒内に流入する燃料量が小さくても、燃料カットを実行する前の燃焼サイクルの燃焼状態よっては、点火プラグに燻りが生じてしまうことがある。また、燃料カットの開始後に、吸気通路から気筒内に燃料が流入しないような場合には、燃料カットを行うと共に、点火プラグの点火の停止（以下、点火カットと記す）を行うことで、内燃機関における電力消費を抑制したいという要望もある。
【０００９】
本発明は、上記に鑑みてなされてものであって、燃料カットを行うことで点火プラグに燻りが生じてしまうことを抑制可能な、内燃機関の制御装置を提供することを目的とする。
【課題を解決するための手段】
【００１０】
本発明に係る内燃機関の制御装置は、吸気通路内に燃料を噴射可能な燃料噴射弁と、気筒内の混合気に点火可能な点火プラグを備える内燃機関に用いられ、燃料噴射弁の燃料噴射を停止する燃料カットを実行可能な、内燃機関の制御装置であって、前サイクルにおける燃焼状態が良好であるか否かを判定する燃焼状態判定手段を有し、燃焼状態が良好でないと判定された場合、燃料カットを禁止することを特徴とする。
【００１１】
本発明に係る内燃機関の制御装置において、当該制御装置は、点火プラグの点火を停止する点火カットを実行可能なものであり、吸気通路の壁面に付着している燃料量である燃料付着量を推定する燃料付着量推定手段と、燃料付着量が予め設定された判定付着量より少ないか否かを判定する燃料付着量判定手段と、を備えるものとすることができ、燃料付着量が判定付着量より小さいと判定された場合、燃焼状態が良好であるか否かに拘らず、燃料カット及び点火カットを許可するものとすることができる。
【００１２】
本発明に係る内燃機関の制御装置において、燃料付着量が判定付着量以上であると判定され、且つ前サイクルの燃料状態が良好であると判定された場合、燃料カットを許可するものとすることができる。
【００１３】
本発明に係る内燃機関の制御装置において、燃焼状態判定手段は、１サイクルあたりに気筒内で消費される空気量である筒内消費空気量を推定する筒内消費空気量推定手段を備え、推定された筒内消費空気量が予め設定された判定空気量より大きいことを以って、燃料状態が良好であると判定するものとすることができる。
【００１４】
本発明に係る内燃機関の制御装置において、筒内消費空気量推定手段は、１サイクルあたりに、気筒内から排気通路に排出された空気量と燃料量の比率である排気空燃比を推定する排気空燃比推定手段と、１サイクルあたりに、吸気通路から気筒内に流入する空気量と燃料量との比率である筒内空燃比を推定する筒内空燃比推定手段と、を備えるものとすることができ、排気空燃比と筒内空燃比との差分から筒内消費空気量を推定するものとすることができる。
【００１５】
本発明に係る内燃機関の制御装置において、筒内空燃比推定手段は、１サイクルあたりに、吸気通路から気筒内に流入する燃料量である筒内流入燃料量を推定する筒内流入燃料量推定手段を備えるものとすることができ、筒内流入燃料量推定手段は、燃料噴射弁が吸気通路に噴射する燃料噴射量と、燃料付着量推定手段により推定された燃料付着量の剥離分に基づいて、筒内流入燃料量を推定するものとすることができる。
【発明の効果】
【００１６】
本発明によれば、前サイクルにおける燃焼状態が良好でないと判定された場合、燃料カットを禁止するものとした。前サイクルの燃焼状態が良好でなく、燃料カットを行って燃料カット開始後に吸気通路に付着していた燃料が気筒内に流入すると、点火プラグに燻りが生じてしまうような場合に、燃料カットを禁止することとなる。これにより燃料カットを行うことで点火プラグに燻りが生じてしまうことを抑制することができる。
【発明を実施するための最良の形態】
【００１７】
以下、この発明につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【実施例１】
【００１８】
本実施例に係る内燃機関の制御装置が適用される内燃機関及び車両システムの概略構成について図１を用いて説明する。図１は、内燃機関及び車両システムの概略構成を示す模式図である。なお、図１において、内燃機関及び車両システムについては、本発明に関連する要部のみを模式的に示している。
【００１９】
内燃機関１０は、燃料噴射弁６０が吸気通路内に燃料（ガソリン）を噴射する、いわゆるポート噴射式のガソリン機関であり、気筒内に形成される混合気に点火プラグ６６により点火を行う火花点火機関である。内燃機関１０は、原動機として車両（図示せず）に搭載されるものであり、車両システム１には、各種センサ類からの信号を受けて内燃機関１０を制御する制御手段として、電子制御装置８０（以下、ＥＣＵと記す）が設けられている。以下、内燃機関１０及びＥＣＵ８０を含む車両システム１の構成について説明する。なお、内燃機関１０については、内燃機関１０が有する複数の気筒のうち一つの気筒について説明する。
【００２０】
図１に示すように、内燃機関１０には、内部に気筒が形成される機関本体系部品として、シリンダブロック１２、ピストン１６、及び図示しないコンロッド及びクランク軸が設けられている。シリンダブロック１２には、シリンダボアが形成されており、ピストン１６は、シリンダボアの内壁面１４（以下、シリンダ壁と記す）に摺接して、シリンダボア内を往復運動する。
【００２１】
ピストン１６の往復運動は、コンロッド及びクランク軸により回転運動に変換されて、クランク軸から出力される。クランク軸の近傍には、クランク軸の回転角位置（以下、クランク角と記す）を検出するクランク角センサ７０が設けられている。クランク角センサ７０は、検出したクランク角に係る信号をＥＣＵ８０に送出している。また、シリンダブロック１２には、機関本体を循環する冷却液１８の温度（以下、冷却液温と記す）を検出する冷却液温センサ７２が設けられている。冷却液温センサ７２は、冷却液温に係る信号をＥＣＵ８０に送出している。
【００２２】
また、シリンダブロック１２には、ピストン１６の頂面に対向してシリンダボアを塞ぐようにシリンダヘッド２０が結合されている。シリンダヘッド２０には、燃焼室が形成されており、燃焼室の形状を規定するシリンダヘッド２０の壁面を、以下に「天井壁」と記す。また、シリンダヘッド２０には、ボア軸心を挟んで、一方の側には、後述する吸気通路からの吸入空気を燃焼室に導く吸気ポート２２が形成されており、他方の側には、燃焼室からの排気ガスを後述する排気通路に排出する排気ポート２６が形成されている。
【００２３】
また、シリンダヘッド２０のうち吸気ポート２２及び排気ポート２６の燃焼室側の開口には、それぞれ吸気弁２４と排気弁２８が設けられている。これら吸気弁２４と排気弁２８は、カムシャフト３０から機械的動力を受けて駆動される。カムシャフト３０は、図示しない可変動弁機構を介して、クランク軸からの機械的動力を受けて回転駆動される。カムシャフト３０の近傍には、カムシャフト３０の回転角位置（以下、カム角と記す）を検出するカム角センサ７１が設けられている。カム角センサ７１は、検出したカム角に係る信号をＥＣＵ８０に送出している。
【００２４】
以上に説明したように、シリンダブロック１２のシリンダ壁１４、シリンダヘッド２０の天井壁、及びピストン１６の頂面で囲まれた空間が「気筒」となる。内燃機関１０は、吸気弁２４が開弁すると、吸気ポート２２と気筒内が連通し、吸気通路からの空気を、吸気ポート２２から気筒内に吸入することが可能となっている。また、排気弁２８を開弁すると、排気ポート２６と気筒内が連通し、気筒内にある排気ガスを、排気ポート２６から後述する排気通路に排出することが可能となっている。
【００２５】
なお、可変動弁機構は、吸気弁２４及び排気弁２８の開弁時間長さはそのままに開弁時期（閉弁時期）を連続的に変化させることが可能に構成されている。加えて、可変動弁機構は、吸気弁２４及び排気弁２８のリフト量を段階的に変化させることが可能に構成されている。ＥＣＵ８０は、内燃機関１０の運転状態に応じて、吸気弁２４及び排気弁２８の開弁期間、及びリフト量を制御することが可能となっている。
【００２６】
また、内燃機関１０には、外気から気筒に空気を導く吸気系部品として、外気から空気を導入する外気ダクト４１と、吸入空気から塵芥を除去するエアクリーナ４３と、吸入空気の流量（以下、吸入空気量と記す）を計側するエアフロメータ４４と、吸入空気量を調整するスロットル弁４６と、吸入空気を各気筒に分配する分岐管である吸気マニホールド４８が設けられている。
【００２７】
吸気マニホールド４８は、シリンダヘッド２０に接続されており、そのブランチ通路４８ｂが吸気ポート２２に連通している。ブランチ通路４８ｂの上流側には、これに連通するサージ室４８ａ（共鳴室）が形成されている。また、吸気マニホールド４８には、サージ室４８ａ内における吸気圧を検出する吸気圧センサ７８が設けられており、吸気圧に係る信号をＥＣＵ８０に送出している。
【００２８】
吸気マニホールド４８の上流側には、吸気配管４０が接続されており、サージ室４８ａは、この吸気配管４０内に形成された通路４０ａに連通している。吸気配管４０内の通路４０ａのうち、下流側にはスロットル弁４６が配設されており、上流側にはエアフロメータ４４が配設されている。吸気配管４０の上流側の端には、エアクリーナ４３が接続されており、吸気配管４０内の通路４０ａは、エアクリーナ４３を介して外気ダクト４１内に連通している。
【００２９】
外気ダクト４１から導入された空気は、エアクリーナ４３を通過し、エアフロメータ４４で吸入空気量が計測されて、スロットル弁４６に流れる。スロットル弁４６で流量を調整された空気は、吸気マニホールド４８のサージ室４８ａに流入し、ブランチ通路４８ｂから各気筒に分配されて、吸気ポート２２から気筒内に流入する。エアフロメータ４４は、吸気配管４０内の通路４０ａで計量した吸入空気量に係る信号をＥＣＵ８０に送出している。スロットル弁４６は、ＥＣＵ８０により制御されて、気筒内に流入する吸入空気量を調整可能となっている。
【００３０】
なお、「吸気通路」とは、上述の吸気系部品４１〜４８と吸気配管４０により形成され、外気ダクト４１から導入された空気が気筒内に流入するまでに通過する流路を意味している。本実施例において、吸気通路には、吸気配管４０内の通路４０ａや、吸気マニホールド４８のサージ室４８ａ及びブランチ通路４８ｂだけでなく、シリンダヘッド２０の吸気ポート２２が含まれている。
【００３１】
また、内燃機関１０には、気筒からの排気ガスを外気に排出する排気系部品として、各気筒からの排気ガスを合流させる排気マニホールド５２と、排気ガス中の酸素濃度を検出するＡ／Ｆセンサ７６と、排気ガス中の有害成分を低減する排気浄化触媒５５と、排気浄化触媒５５を通過した排気ガスを外気に向けて導く排気管５６が設けられている。
【００３２】
排気マニホールド５２は、上流側がシリンダヘッド２０に接続されており、排気マニホールド５２内に形成された通路５０ａが排気ポート２６に連通している。一方、排気マニホールド５２の下流側には、排気浄化触媒５５を収容する触媒コンバータ５４が接続されている。触媒コンバータ５４の下流側には、排気管５６が接続されている。
【００３３】
気筒内から排気ポート２６に排出された排気ガスは、排気マニホールド５２内の通路５０ａから触媒コンバータ５４内の通路５４ａを流れ、排気浄化触媒５５を通過する。排気浄化触媒５５を通過して有害成分が浄化された排気ガスは、排気管５６内の通路５６ａを流れて外気に向けて流れる。
【００３４】
なお、「排気通路」とは、上述の排気系部品５２〜５４により形成され、気筒内から排気ポート２６に排出された排気ガスが、排気浄化触媒５５に至るまでに通過する流路を意味している。本実施例において、排気通路には、排気マニホールド５２内の通路５０ａ、触媒コンバータ５４内の通路５４ａだけでなく、シリンダヘッド２０の排気ポート２６が含まれている。
【００３５】
排気通路のうち、排気浄化触媒５５より上流側には、排気ガス中の酸素濃度を検出するＡ／Ｆセンサ７６が設けられている。Ａ／Ｆセンサ７６は、排気ポート２６から排出され排気浄化触媒５５に到達する前の排気ガス中の酸素濃度に係る信号をＥＣＵ８０に送出している。
【００３６】
また、内燃機関１０には、気筒内に燃料を供給する燃料噴射装置として、気筒ごとに燃料噴射弁６０が設けられている。詳細には、燃料噴射弁６０は、吸気マニホールド４８に固定されており、燃料レール６２から所定の燃圧で燃料の供給を受けて、吸気ポート２２及び吸気弁２４に向けて燃料を噴射する。このように燃料噴射弁６０は吸気通路内に燃料を噴射する。燃料噴射弁６０の燃料噴射期間及び燃料噴射量は、ＥＣＵ８０により制御される。
【００３７】
燃料噴射弁６０から噴射された燃料は、大部分が吸気ポート２２の内壁や吸気弁２４に付着する。吸気ポート２２等に付着した燃料は、吸気弁２４が開弁期間に、吸入空気と共に吸気ポート２２から気筒内に流入する。気筒内には、流入した燃料と空気が混合されて略均質な混合気が形成されることとなる。
【００３８】
また、内燃機関１０のシリンダヘッド２０には、気筒内に形成される混合気に点火する点火装置として、気筒ごとに点火プラグ６６と点火コイル６８が設けられている。詳細には、点火プラグ６６及び点火コイル６８は、シリンダヘッド２０に装着されており、火花放電部（電極）が燃焼室、すなわち気筒内に突き出すよう配設されている。点火プラグ６６は、点火コイル６８から２次電流の供給を受けて火花放電部に点火火花を生じさせる。これにより点火プラグ６６は、気筒内に形成された混合気を着火することが可能となっている。ＥＣＵ８０は、点火コイル６８の１次電流を制御することにより、点火プラグ６６が点火火花を生じさせるタイミングである点火時期を制御することが可能となっている。
【００３９】
また、車両システム１には、車両の速度（以下、車速と記す）を検出する車速センサ（図示せず）が設けられている。車速センサは、車速に係る信号をＥＣＵ８０に送出している。また、車両システム１には、運転者によるアクセル操作量を検出するアクセルポジションセンサ（図示せず）が設けられている。アクセルポジションセンサは、アクセル操作量に係る信号をＥＣＵ８０に送出している。
【００４０】
以上のように構成された車両システム１において、ＥＣＵ８０は、クランク角センサ７０からのクランク角に係る信号と、カム角センサ７１からのカム角に係る信号と、冷却液温センサ７２からの冷却液温に係る信号と、吸気圧センサ７８からの吸気圧に係る信号と、エアフロメータ４４からの吸入空気量に係る信号と、Ａ／Ｆセンサ７６からの排気浄化触媒５５より上流側における排気ガス中の酸素濃度に係る信号とを受けている。ＥＣＵ８０は、検出されたクランク角から内燃機関１０のクランク軸の回転速度（以下、機関回転速度と記す）を算出しており、検出されたカム角から気筒がどの行程にあるかを判別している。また、ＥＣＵ８０は、検出された吸気圧、又は、検出された吸入空気量から内燃機関１０がクランク軸から出力している機械的動力（以下、機関負荷と記す）を算出している。
【００４１】
ＥＣＵ８０は、算出された機関回転速度、機関負荷、冷却液温、及び排気ガス中の酸素濃度に基づいて、燃料噴射弁６０の燃料噴射量及び点火プラグ６６の点火時期を決定し、燃料噴射弁６０及び点火コイル６８への通電を制御することが可能となっている。このようにして、ＥＣＵ８０は、燃料噴射弁６０への通電、及び点火コイル６８への通電を制御することで、燃料噴射弁６０の燃料噴射を、内燃機関の作動中に所定の期間、すなわち一時的に停止する「燃料カット」と、点火プラグ６６の火花放電部における点火火花の発生を、内燃機関１０の作動中に所定の期間、すなわち一時的に停止する「点火カット」を実行することが可能となっている。これら「燃料カット」及び「点火カット」は、内燃機関１０の運転状態、内燃機関１０が搭載されている車両の作動状態、及び運転者の操作に応じて、ＥＣＵ８０により実行される。
【００４２】
また、ＥＣＵ８０は、吸気ポート２２等の内壁面に付着して気筒内に流入していない燃料の量（以下、燃料付着量と記す）を推定する機能である燃料付着量推定手段を有している。燃料付着量を推定する具体的な手法としては、例えば、本願出願人の特開２００５−４８７１２号公報の第００３２段落から第０１２２段落に開示されている。ＥＣＵ８０は、吸気圧、吸気温度、吸気ポート２２の壁面の温度、吸気ポート２２における吸入空気の流速等を検出又は算出することで、各サイクルにおける燃料付着量を推定することが可能となっている。加えて、ＥＣＵ８０は、燃料付着量が予め設定された判定付着量より少ないか否かを判定する機能（燃料付着量判定手段）を有している。判定付着量は、予め適合実験等により求められており、制御定数としてＥＣＵ８０のＲＯＭに記憶されている。
【００４３】
また、ＥＣＵ８０は、気筒内における混合気の燃焼状態が良好であるか否かを判定する機能である燃焼状態判定手段を有している。燃焼状態が良好か否かを判定する具体的な手法としては、１サイクルあたりに気筒内で消費される空気（酸素）量（以下、筒内消費空気量と記す）を推定し、この筒内消費空気量が予め設定された判定空気量より大きいか否かで燃料状態が良好であるか緩慢であるかを判定することが可能となっている。筒内消費空気量が、判定空気量より大きい場合、ＥＣＵ８０は、気筒内における燃焼状態が良好であると判定する。
【００４４】
なお、燃焼状態が「良好」であるとは、混合気の燃焼により気筒内における熱発生が所定の基準値以上に急峻なものであることを意味している。これに対し、燃焼状態が良好でないものを「緩慢」と記す。つまり気筒内における燃焼状態は、熱発生が急峻な「良好」と、そうでない「緩慢」のいずれかに区分することができる。
【００４５】
筒内消費空気量は、排気空燃比と筒内空燃比との差分から算出することができる。なお、「排気空燃比」とは、１サイクルあたりに、気筒内から排気通路に排出された空気量（酸素量）と、気筒内から排気通路に排出された燃料量との比率である。排気空燃比は、Ａ／Ｆセンサ７６からの信号出力に基づいて算出することが可能となっている。つまりＥＣＵ８０は、排気空燃比を推定する機能（排気空燃比推定手段）を有している。
【００４６】
一方、「筒内空燃比」とは、１サイクルあたりに、吸気通路から気筒内に流入する空気量（酸素量）と、吸気通路から気筒内に流入する燃料量との比率である一方、筒内空燃比は、１サイクルあたりに気筒内に流入する空気量（以下、筒内流入空気量と記す）を、１サイクルあたりに気筒内に流入する燃料量（以下、筒内流入燃料量と記す）で除することで算出することが可能となっている。つまりＥＣＵ８０は、筒内空燃比を推定する機能（筒内空燃比推定手段）を有している。
【００４７】
筒内流入空気量は、エアフロメータ４４により検出された吸入空気量に基づいてＥＣＵ８０により算出される。また、吸気圧センサ７８により検出された吸気圧に基づいてＥＣＵ８０により算出することもできる。ＥＣＵ８０は、筒内流入空気量を、吸入空気量又は吸気圧と機関回転速度に基づいて算出することができる。このように、ＥＣＵ８０は、１サイクルあたりに気筒内に流入する空気量を推定する機能である筒内流入空気量推定手段を有している。
【００４８】
筒内流入燃料量は、燃料噴射量と、燃料付着量の「剥離分」から算出することができる。「剥離分」とは、前サイクルの燃料噴射において気筒内に流入することなく吸気ポート２２に付着して現サイクルにおいて吸気ポート２２から剥離して気筒内に流入する燃料量と、現サイクルにおいて吸気ポート２２に付着して気筒内に流入しない燃料量との差分を意味しており、剥離分は、マイナスの値となる場合もある。筒内流入燃料量は、１サイクルあたりの燃料噴射量にポート付着燃料量の剥離分を加えた値となっている。このようにＥＣＵ８０は、１サイクルあたりに気筒内に流入する燃料量を推定する機能である筒内流入燃料量推定手段を有している。
【００４９】
なお、「現サイクル」とは、内燃機関の作動中において、ＥＣＵが、現在、燃料噴射量、燃料噴射期間及び点火時期を算出して、燃料噴射弁及び点火コイルの通電を制御しようとしているサイクルを意味している。これに対して「前サイクル」とは、既に燃料噴射量、燃料噴射期間及び点火時期が算出されており、これを実現するようＥＣＵが燃料噴射弁及び点火コイルの制御を既に実行したサイクルを意味している。つまり、前サイクルは、現在制御中の「現サイクル」以前の、１サイクルであっても良いし、所定の数サイクルであっても良い。
【００５０】
以上のようにして排気空燃比と筒内空燃比を算出し、排気空燃比から筒内空燃比を減ずることで、筒内消費空気量を推定することができる。このようにＥＣＵ８０は、１サイクルあたりに気筒内で消費される空気量（酸素量）を推定する機能（筒内消費空気量推定手段）を有している。そして、ＥＣＵ８０は、算出した筒内消費空気量が所定の判定空気量より大きい場合、気筒内の燃焼状態が良好であると判定する。なお。この判定空気量は、予め適合実験等により求められており、ＥＣＵ８０のＲＯＭに記憶されている。このようにＥＣＵ８０は、気筒内における燃焼状態を把握することが可能となっている。
【００５１】
また、ＥＣＵ８０は、車速センサからの車速に係る信号と、アクセルポジションセンサからのアクセル操作量に係る信号とを受けている。ＥＣＵ８０は、検出された車速に基づいて車両が減速しているか否かを判定すると共に、アクセル操作量に基づいて運転者が減速を意図しているか否かを判定することが可能となっている。車両が減速していると判定され、且つ運転者が減速を意図していると判定された場合、ＥＣＵ８０は、燃料カットを要求し、点火プラグ６６の燻りの観点から、実際に燃料カット及び点火カットを許可するか禁止するかを判定する制御（以下、燃料カット可否判定制御と記す）を行う。
【００５２】
次に、本実施例に係る内燃機関の制御装置（ＥＣＵ）が実行する燃料カット可否判定制御について、図１及び図２を用いて説明する。図２は、ＥＣＵが実行する燃料カット可否判定制御を示すフローチャートである。
【００５３】
図２に示すように、ＥＣＵ８０は、ステップＳ１０２において、燃料カット要求を受けて、各種制御変数を算出・推定する。具体的には、ＥＣＵ８０は、燃料付着量推定手段により、現サイクルにおける燃料付着量を推定する。また、ＥＣＵ８０は、ステップＳ１０２において、前サイクルにおける燃焼状態を把握する。具体的には、ＥＣＵ８０は、上述のように、燃料噴射量と燃料付着量の剥離分から筒内流入燃料量を算出すると共に、エアフロメータ４４により検出された吸入空気量から筒内流入空気量を算出する。そして、算出された前サイクルにおける筒内流入燃料量と筒内流入空気量から筒内空燃比を算出すると共に、Ａ／Ｆセンサ７６の信号に基づき得られた前サイクルにおける排気空燃比を算出する。そして、排気空燃比と筒内空燃比の差分から筒内消費空気量を推定する。
【００５４】
そして、ステップＳ１０４において、ＥＣＵ８０は、現サイクルにおける燃料付着量が所定の判定付着量より少ないか否かを判定する。なお、判定付着量は、予め適合実験等により求められており、ＥＣＵ８０のＲＯＭに記憶されている。判定付着量より少ない（Ｙｅｓ）と判定された場合、ＥＣＵ８０は、燃料カットを許可すると共に、点火カットを許可する（Ｓ１０６）。
【００５５】
ＥＣＵ８０は、燃料噴射弁６０が閉弁するよう、開弁電流をカットすると共に、点火プラグ６６が点火しないよう、点火コイル６８への１次電流をカットする。燃料カットの開始後に、吸気ポート２２に付着していた燃料が剥離して気筒内に流入しても、燃料付着量そのものが少ないため、剥離して気筒内に流入する燃料量も少なくなっており、気筒内に流入した燃料により点火プラグ６６に燻りが生じることがない。燃料カットに併せて点火カットも実行することで、点火コイル６８から点火プラグ６６に２次電流が流れることがなく、内燃機関１０としての消費電力を抑制することができる。
【００５６】
一方、ステップＳ１０４において、現サイクルにおける燃料付着量が所定の判定付着量以上である（Ｎｏ）と判定された場合、ＥＣＵ８０は、気筒内におけるステップＳ１１０に進み、ＥＣＵ８０は、前サイクルの燃焼状態が良好であったか否かを判定する。具体的には、ステップＳ１０２において算出された筒内消費空気量が所定の判定空気量より大きいか否かを判定する。
【００５７】
ステップＳ１１０において、前サイクルの燃焼状態が良好であった（Ｙｅｓ）と判定された場合、すなわち筒内消費空気量が所定の判定空気量より大きいと判定された場合、ＥＣＵ８０は、燃料カットのみを許可する（Ｓ１１２）。すなわち燃料カットの開始後も点火プラグ６６による点火は継続される。燃料カット開始後に、吸気ポート２２等に付着していた燃料が気筒内に流入しても、前サイクルの燃焼状態が良好であるため気筒内の温度は高い状態となっており、燃料カット開始後に気筒内に流入した燃料によって点火プラグ６６に燻りが生じることがない。
【００５８】
一方、ステップＳ１１０において、前サイクルの燃焼状態が良好ではなかった即ち燃焼状態が緩慢であった（Ｎｏ）と判定された場合、ＥＣＵ８０は、燃料カット開始後に吸気ポート２２等に付着していた燃料が気筒内に流入すると、気筒内の温度が高くないため点火プラグ６６に燻りを生じさせるものと判断して、燃料カットと点火カットの双方を禁止する（Ｓ１１４）。そして、燃料カット及び点火カットを実行することなく、ステップＳ１０２に戻る。
【００５９】
以上に説明したように本実施例に係る内燃機関の制御装置は、前サイクルにおける燃焼状態が良好であるか否かを判定する機能である燃焼状態判定手段を有し、燃焼状態が良好でないと判定された場合、燃料カットを禁止するものとした。前サイクルの燃焼状態が良好でないため、燃料カットを行って吸気通路に付着していた燃料が気筒内に流入させると点火プラグに燻りが生じてしまうような場合に、燃料カットを禁止する。これにより燃料カットを行うことにより点火プラグに燻りが生じてしまうことを抑制することができる。
【００６０】
また、本実施例に係る内燃機関の制御装置は、吸気通路の燃料付着量が所定の判定付着量より少ないと判定された場合は、燃焼状態が良好であるか否かに拘らず、燃料カットを許可すると共に点火カットを許可するものとした。燃料カットを実行している時に吸気通路に付着していた燃料が剥離して気筒内に流入しても、その量は少量であるため、点火カットを行っても、気筒内に流入した燃料により点火プラグに燻りが生じることがない。点火プラグの燻りを抑制しつつ燃料カットを行って内燃機関としての燃費を低減すると共に、点火カットを行うことで点火プラグによる電力消費を抑制することができる。
【００６１】
また、本実施例に係る内燃機関の制御装置において、吸気通路への燃料付着量が所定の判定付着量以上であると判定され、且つ前サイクルの燃焼状態が良好なものであると判定された場合には、燃料カットを許可するものとした。前サイクルの燃焼状態が良好である場合、燃料カット開始後に、吸気ポート等に付着していた燃料が気筒内に流入しても、前サイクルの影響で現サイクルにおける気筒内の温度は高く、気筒内に流入した燃料を良好に燃焼させることが可能であり、燃料カットを行っても点火プラグに燻りが生じることを抑制することができる。
【００６２】
また、本実施例に係る内燃機関の制御装置において、燃焼状態判定手段は、１サイクルあたりに気筒内で消費される空気量である筒内消費空気量を推定する筒内消費空気量推定手段を含み、推定された筒内消費空気量が予め設定された判定空気量より大きいことを以って、燃料状態が良好であると判定するものとした。気筒内で消費される空気量を推定することで、気筒内における燃料酸化反応の程度、すなわち燃焼状態を推定することができる。
【００６３】
なお、上述した実施例において、燃焼状態が良好であるか否かを判定する燃焼状態判定手段は、１サイクルあたりに気筒内で消費される空気量（筒内消費空気量）が予め設定された判定空気量より大きいことを以って、燃焼状態が良好であると判定するものとしたが、燃焼状態が良好であるか否かの判定は、この態様に限定されるものではない。例えば、内燃機関の各種制御変数から、内燃機関の出力トルク、気筒内における燃焼圧、又は気筒内のガス温度等を推定し、これら推定値に基づいて燃焼状態が良好であるか否かを判定するものとしても良い。
【００６４】
なお、上述した実施例において、上記燃料カット可否判定制御（Ｓ１０２〜Ｓ１１４）は、車両が減速していると判定され、且つ運転者が減速を意図していると判定された場合に実行するものとしたが、燃料カット可否判定制御を実行する条件は、これに限定されるものではない。例えば、上述の条件に加えて、内燃機関の冷却液温が予め設定された判定冷却液温以下である場合、すなわち内燃機関が低温である場合に、上記燃料カット可否判定制御を行うものとしても良い。なお、内燃機関が低温でない場合には、吸気通路に付着した燃料は、良好に気化して気筒内に流入することができるため、上記燃料カット可否判定制御を行うことなく、車両減速時には燃料カット及び点火カットを行うことも好適である。
【産業上の利用可能性】
【００６５】
以上のように、本発明に係る内燃機関の制御装置は、吸気通路内に燃料を噴射可能な燃料噴射弁と、気筒内の混合気に点火可能な点火プラグを備えた内燃機関に有用であり、特に、原動機として自動車に搭載される内燃機関に適している。
【図面の簡単な説明】
【００６６】
【図１】本実施例に係る内燃機関及び車両システムの概略構成を示す模式図である。
【図２】本実施例に係る内燃機関の制御装置（ＥＣＵ）が実行する燃料カット可否判定制御のフローチャートである。
【符号の説明】
【００６７】
１  車両システム
１０  内燃機関
１２  シリンダブロック
１６  ピストン
２０  シリンダヘッド
２２  吸気ポート
２４  吸気弁
２６  排気ポート
２８  排気弁
３０  カムシャフト
４０  吸気配管
４４  エアフロメータ
４６  スロットル弁
４８  吸気マニホールド
５２  排気マニホールド
５５  排気浄化触媒
６０  燃料噴射弁
６６  点火プラグ
６８  点火コイル
７０  クランク角センサ
７６  Ａ／Ｆセンサ
７８  吸気圧センサ
８０  電子制御装置（ＥＣＵ）
【図１】
2008240642.tif 000003
【図２】
2008240642.tif 000004